(57)【特許請求の範囲】
【請求項１】
スタンドと、このスタンドに支持されたメインフレームと、対峙して位置するＸ線管とＸ線検出器とを保持して前記メインフレームに回転可能に支持された円環状の回転体とを有して床面上に設置される架台を備えるＸ線ＣＴ装置において、
前記架台と床面との間に、前記回転体の振動エネルギーを熱エネルギーに変換する振動減衰材を前記架台に取付けて介装したことを特徴とするＸ線ＣＴ装置。
【請求項２】
対峙して位置するＸ線管とＸ線検出器とを保持し、回転可能に支持された円環状の回転体を有して床面上に設置される架台と、Ｘ線撮影される被検体を前記架台の撮影位置に移動可能に載置して床面上に設置される寝台とを備えるＸ線ＣＴ装置において、
前記寝台と床面との間に、前記回転体の振動エネルギーを熱エネルギーに変換する振動減衰材を前記寝台に取付けて介装したことを特徴とするＸ線ＣＴ装置。
【請求項３】
スタンドと、このスタンドに回動可能に取付けられたアームと、このアームに固定されたメインフレームと、対峙して位置するＸ線管とＸ線検出器とを保持して前記メインフレームに回転可能に支持された円環状の回転体と、一端が前記アームに連結されるとともに他端が前記スタンドに連結されて伸縮することにより前記アームを前記回転体と共にチルトさせるチルトシリンダとを有して床面上に設置される架台を備えるＸ線ＣＴ装置において、
前記チルトシリンダと前記アームとの間に前記回転体の振動エネルギーを熱エネルギーに変換する振動減衰材が介装されていることを特徴とするＸ線ＣＴ装置。
【請求項４】
スタンドと、このスタンドに回動可能に取付けられたアームと、このアームに固定されたメインフレームと、対峙して位置するＸ線管とＸ線検出器とを保持して前記メインフレームに回転可能に支持された円環状の回転体と、一端が前記アームに連結されるとともに他端が前記スタンドに連結されて伸縮することにより前記アームを前記回転体と共にチルトさせるチルトシリンダとを有して床面上に設置される架台を備えるＸ線ＣＴ装置において、
前記チルトシリンダと前記スタンドとの間に前記回転体の振動エネルギーを熱エネルギーに変換する振動減衰材が介装されていることを特徴とするＸ線ＣＴ装置。
【請求項５】
スタンドと、このスタンドに回動可能に取付けられたアームと、このアームに固定されたメインフレームと、対峙して位置するＸ線管とＸ線検出器とを保持して前記メインフレームに回転可能に支持された円環状の回転体と、一端が前記アームに連結されるとともに他端が前記スタンドに連結されて伸縮することにより前記アームを前記回転体と共にチルトさせるチルトシリンダとを有して床面上に設置される架台を備えるＸ線ＣＴ装置において、
前記アームと前記メインフレームとの間に前記回転体の振動エネルギーを熱エネルギーに変換する振動減衰材が介装されていることを特徴とするＸ線ＣＴ装置。
【請求項６】
スタンドと、このスタンドにチルト軸受を介して回動可能に取付けられたアームと、このアームに固定されたメインフレームと、対峙して位置するＸ線管とＸ線検出器とを保持して前記メインフレームに回転可能に支持された円環状の回転体と、一端が前記アームに連結されるとともに他端が前記スタンドに連結されて伸縮することにより前記アームを前記回転体と共に前記チルト軸受の回りにチルトさせるチルトシリンダとを有して床面上に設置される架台を備えるＸ線ＣＴ装置において、
前記チルト軸受と前記スタンドとの間に前記回転体の振動エネルギーを熱エネルギーに変換する振動減衰材が介装されていることを特徴とするＸ線ＣＴ装置。
【請求項７】
スタンドと、このスタンドに支持されたメインフレームと、対峙して位置するＸ線管とＸ線検出器とを保持して前記メインフレームに回転可能に支持された円環状の回転体とを有して床面上に設置される架台を備えるＸ線ＣＴ装置において、
前記回転体と前記メインフレームとの間に前記回転体の振動エネルギーを熱エネルギーに変換する振動減衰材が介装されていることを特徴とするＸ線ＣＴ装置。
【請求項８】
スタンドと、このスタンドに支持されたメインフレームと、対峙して位置するＸ線管とＸ線検出器とを保持して前記メインフレームに回転可能に支持された円環状の回転体と、前記メインフレームと前記回転体との周囲を覆う外装カバーとを有して床面上に設置される架台を備えるＸ線ＣＴ装置において、
前記メインフレームと前記外装カバーとの間に前記回転体の振動エネルギーを熱エネルギーに変換する振動減衰材が介装されていることを特徴とするＸ線ＣＴ装置。
【請求項９】
対峙して位置するＸ線管とＸ線検出器とを保持し、回転可能に支持された円環状の回転体を有して床面上に設置される架台を有するＸ線ＣＴ装置の設置方法において、
前記架台と前記床面との間に前記回転体の振動エネルギーを熱エネルギーに変換する振動減衰材を介装したことを特徴とするＸ線ＣＴ装置の設置方法。
【請求項１０】
対峙して位置するＸ線管とＸ線検出器とを保持し、回転可能に支持された円環状の回転体を有して床面上に設置される架台と、Ｘ線撮影される被検体を前記架台の撮影位置に移動可能に載置して床面上に設置される寝台とを備えるＸ線ＣＴ装置の設置方法において、
前記寝台と前記床面との間に前記回転体の振動エネルギーを熱エネルギーに変換する振動減衰材を介装したことを特徴とするＸ線ＣＴ装置の設置方法。
【発明の詳細な説明】
【技術分野】
【０００１】
本発明は、Ｘ線ＣＴ装置及びＸ線ＣＴ装置の設置方法に関し、特に、架台や寝台の振動を抑えることができるＸ線ＣＴ装置及びＸ線ＣＴ装置の設置方法に関する。
【背景技術】
【０００２】
Ｘ線ＣＴ装置は、Ｘ線管やＸ線検出器を保持して回転する回転体を備えた架台や、被検体が載置される寝台等により構成されており、回転体の回転に伴なって架台が振動し、さらに、架台の振動が床面を介して寝台に伝わる。
【０００３】
架台や寝台が振動すると、回転体の１回転中におけるＸ線パスの位置がずれて診断精度が低下したり、被検体に不快感を与えたりする。
【０００４】
従来のＸ線ＣＴ装置は、下記特許文献１に記載されているように、架台における回転体を支持している各部が剛結合されており、架台の各部を剛結合することによって架台や寝台の振動を抑えている。
【先行技術文献】
【特許文献】
【０００５】
【特許文献１】特開２００８−２５９７３３号公報
【発明の概要】
【発明が解決しようとする課題】
【０００６】
しかしながら、特許文献１に記載されたように架台の各部を剛結合した構造のＸ線ＣＴ装置においては、架台の振動を抑えるためには、回転体の最大回転数が高くなるにつれて架台を大型化、重量化しなければならない。したがって、回転体の高速回転化が要求される昨今では、Ｘ線ＣＴ装置の小型化を図りつつ架台や寝台の振動を抑えるということは困難である。
【０００７】
また、架台の振動が床に伝わるため、床の強度を高める必要がある。
【０００８】
さらに、架台の振動が床に伝わった場合、その振動が床から寝台に伝わることを抑えることはできなかった。
【０００９】
本発明はこのような課題を解決するためになされたもので、その目的は、回転体の回転に伴なう架台や寝台の振動を抑えることができるＸ線ＣＴ装置及びＸ線ＣＴ装置の設置方法を提供することである。
【課題を解決するための手段】
【００１０】
請求項１記載の発明の特徴は、スタンドと、このスタンドに支持されたメインフレームと、対峙して位置するＸ線管とＸ線検出器とを保持して前記メインフレームに回転可能に支持された円環状の回転体とを有して床面上に設置される架台を備えるＸ線ＣＴ装置において、前記架台と床面との間に、前記回転体の振動エネルギーを熱エネルギーに変換する振動減衰材を前記架台に取付けて介装したことにある。
【００１１】
請求項２記載の発明の特徴は、対峙して位置するＸ線管とＸ線検出器とを保持し、回転可能に支持された円環状の回転体を有して床面上に設置される架台と、Ｘ線撮影される被検体を前記架台の撮影位置に移動可能に載置して床面上に設置される寝台とを備えるＸ線ＣＴ装置において、前記寝台と床面との間に、前記回転体の振動エネルギーを熱エネルギーに変換する振動減衰材を前記寝台に取付けて介装したことにある。
【００１２】
請求項３記載の発明の特徴は、スタンドと、このスタンドに回動可能に取付けられたアームと、このアームに固定されたメインフレームと、対峙して位置するＸ線管とＸ線検出器とを保持して前記メインフレームに回転可能に支持された円環状の回転体と、一端が前記アームに連結されるとともに他端が前記スタンドに連結されて伸縮することにより前記アームを前記回転体と共にチルトさせるチルトシリンダとを有して床面上に設置される架台を備えるＸ線ＣＴ装置において、前記チルトシリンダと前記アームとの間に前記回転体の振動エネルギーを熱エネルギーに変換する振動減衰材が介装されていることにある。
【００１３】
請求項４記載の発明の特徴は、スタンドと、このスタンドに回動可能に取付けられたアームと、このアームに固定されたメインフレームと、対峙して位置するＸ線管とＸ線検出器とを保持して前記メインフレームに回転可能に支持された円環状の回転体と、一端が前記アームに連結されるとともに他端が前記スタンドに連結されて伸縮することにより前記アームを前記回転体と共にチルトさせるチルトシリンダとを有して床面上に設置される架台を備えるＸ線ＣＴ装置において、前記チルトシリンダと前記スタンドとの間に前記回転体の振動エネルギーを熱エネルギーに変換する振動減衰材が介装されていることにある。
【００１４】
請求項５記載の発明の特徴は、スタンドと、このスタンドにチルト軸受を介して回動可能に取付けられたアームと、このアームに固定されたメインフレームと、対峙して位置するＸ線管とＸ線検出器とを保持して前記メインフレームに回転可能に支持された円環状の回転体と、一端が前記アームに連結されるとともに他端が前記スタンドに連結されて伸縮することにより前記アームを前記回転体と共に前記チルト軸受の回りにチルトさせるチルトシリンダとを有して床面上に設置される架台を備えるＸ線ＣＴ装置において、前記チルト軸受と前記スタンドとの間に前記回転体の振動エネルギーを熱エネルギーに変換する振動減衰材が介装されていることにある。
【００１５】
請求項６記載の発明の特徴は、スタンドと、このスタンドにチルト軸受を介して回動可能に取付けられたアームと、このアームに固定されたメインフレームと、対峙して位置するＸ線管とＸ線検出器とを保持して前記メインフレームに回転可能に支持された円環状の回転体と、一端が前記アームに連結されるとともに他端が前記スタンドに連結されて伸縮することにより前記アームを前記回転体と共に前記チルト軸受の回りにチルトさせるチルトシリンダとを有して床面上に設置される架台を備えるＸ線ＣＴ装置において、前記チルト軸受と前記スタンドとの間に前記回転体の振動エネルギーを熱エネルギーに変換する振動減衰材が介装されていることにある。
【００１６】
請求項７記載の発明の特徴は、スタンドと、このスタンドに支持されたメインフレームと、対峙して位置するＸ線管とＸ線検出器とを保持して前記メインフレームに回転可能に支持された円環状の回転体とを有して床面上に設置される架台を備えるＸ線ＣＴ装置において、前記回転体と前記メインフレームとの間に前記回転体の振動エネルギーを熱エネルギーに変換する振動減衰材が介装されていることにある。
【００１７】
請求項８記載の発明の特徴は、スタンドと、このスタンドに支持されたメインフレームと、対峙して位置するＸ線管とＸ線検出器とを保持して前記メインフレームに回転可能に支持された円環状の回転体と、前記メインフレームと前記回転体との周囲を覆う外装カバーとを有して床面上に設置される架台を備えるＸ線ＣＴ装置において、前記メインフレームと前記外装カバーとの間に前記回転体の振動エネルギーを熱エネルギーに変換する振動減衰材が介装されていることにある。
【００１８】
請求項９記載の発明の特徴は、対峙して位置するＸ線管とＸ線検出器とを保持し、回転可能に支持された円環状の回転体を有して床面上に設置される架台を有するＸ線ＣＴ装置の設置方法において、前記架台と前記床面との間に前記回転体の振動エネルギーを熱エネルギーに変換する振動減衰材を介装したことにある。
【００１９】
請求項１０記載の発明の特徴は、対峙して位置するＸ線管とＸ線検出器とを保持し、回転可能に支持された円環状の回転体を有して床面上に設置される架台と、Ｘ線撮影される被検体を前記架台の撮影位置に移動可能に載置して床面上に設置される寝台とを備えるＸ線ＣＴ装置の設置方法において、前記寝台と前記床面との間に前記回転体の振動エネルギーを熱エネルギーに変換する振動減衰材を介装したにある。
【発明の効果】
【００２０】
本発明によれば、回転体の回転に伴なう架台や寝台の振動を抑えることができる。
【図面の簡単な説明】
【００２１】
【図１】本発明の一実施の形態のＸ線ＣＴ装置の機能を示すブロック図である。
【図２】架台の外観構成を示す正面図である。
【図３】架台の外観構成を示す側面図である。
【発明を実施するための形態】
【００２２】
以下、本発明の一実施の形態を図面を用いて説明する。
【００２３】
Ｘ線ＣＴ装置は、図１に示すように、架台１と寝台２と操作コンソール３とを備え、これらの架台１と寝台２と操作コンソール３とは、それぞれ床面上に設置されている。
【００２４】
架台１は、被検体Ｐに対してＸ線を照射するとともに被検体Ｐを透過したＸ線を検出する部分である。架台１の機能に関する構成要素として、架台制御部４と、高電圧発生部５と、回転駆動部６と、チルト駆動部７と、Ｘ線管８と、Ｘ線検出器９と、データ収集部１０とを備えている。
【００２５】
寝台２は、被検体Ｐが載置され、載置された被検体ＰをＸ線が照射される位置へ移動させる部分であり、被検体Ｐが載置される寝台天板１１と、寝台天板１１を支持する寝台基台１２と、寝台天板１１の上下移動及び水平移動を行なわせる寝台駆動部１３とを備えている。寝台基台１２の底面部には振動減衰材である減衰ゴム１４が取付けられ、寝台２はこの減衰ゴム１４を介して床面上に設置されている。
【００２６】
操作コンソール３は、Ｘ線ＣＴ装置の入出力を制御する部分であり、コンソール制御部１５と、入力操作部１６と、前処理部１７と、Ｘ線投影データ記憶部１８と、再構成処理部１９と、画像データ記憶部２０と、画像処理部２１と、表示部２２とを備えている。
【００２７】
架台制御部４は、操作コンソール３の入力操作部１６からの入力に応じ、架台１内の各部を制御する。
【００２８】
高電圧発生部５は、Ｘ線管８からＸ線を照射するために必要な高電圧を、架台制御部４から送信された制御信号に応じてＸ線管８に供給する。
【００２９】
Ｘ線管８は、高電圧発生部５から供給された高電圧によってＸ線を照射する。Ｘ線管８から照射されるＸ線は、ファン状又はコーン状に成形されている。
【００３０】
Ｘ線検出器９は、Ｘ線管８から照射されて寝台天板１１上に載置されている被検体Ｐを透過したＸ線を検出する。シングルスライスＣＴ装置の場合、Ｘ線検出器９は、ファン状又は直線状に例えば１０００チャンネルのＸ線検出素子を１列に並べて構成されている。また、マルチスライスＣＴ装置の場合、Ｘ線検出器９は、Ｘ線検出素子を互いに直交する２方向（スライス方向及びチャンネル方向）それぞれにアレイ状に複数個配列され、これにより２次元のＸ線検出器が構成されている。
【００３１】
データ収集部１０は、Ｘ線検出器９の各Ｘ線検出素子と同様にアレイ状に配列されたデータ収集素子を有し、Ｘ線検出器９により検出されたＸ線（実際には検出信号）を、架台制御部４から出力されたデータ収集制御信号に応じて収集する。この収集されたデータがＸ線投影データとなる。
【００３２】
回転駆動部６は、架台制御部４から出力された制御信号により図示しないモータを駆動し、後述する回転体を回転駆動させる。なお、この回転体には、上述したＸ線管８とＸ線検出器９とが対峙して保持されている。
【００３３】
チルト駆動部７は、架台制御部４から出力された制御信号により後述するチルトシリンダを伸縮させ、回転体を後述するメインフレームと共に任意の角度にチルトさせる。
【００３４】
寝台駆動部１３は、操作コンソール３の入力操作部１６からの入力に応じ、寝台天板１１を上下方向と長手方向（矢印Ｘ方向）とに移動させる。Ｘ線を照射されてＸ線ＣＴスキャンを受ける被検体Ｐは、被検体Ｐの体軸方向と寝台天板１１の移動方向（矢印Ｘ方向）とが一致する向きに寝台天板１１上に載置されている。
【００３５】
入力操作部１６は、キーボート、タッチパネル、マウス等からなり、Ｘ線ＣＴ装置を駆動させるための各種の入力操作が行われる。
【００３６】
コンソール制御部１５は、入力操作部１６からの入力に応じた制御信号を発生させ、この制御信号を、架台制御部４や寝台駆動部１３、及び、操作コンソール３内の各部に送信する。
【００３７】
前処理部１７は、データ収集部１０から出力されたＸ線投影データに感度補正やＸ線強度補正等の前処理を施す。前処理部１７にて感度補正等の前処理が施されたＸ線投影データは、Ｘ線投影データ記憶部１８に一旦記憶される。
【００３８】
再構成処理部１９は、Ｘ線投影データ記憶部１８に記憶されたＸ線投影データを逆投影処理することにより、画像データを再構成する。この逆投影の方法は公知の方法と同じであり、説明は省略する。また、Ｘ線投影データに対して補間処理を行う場合は、３６０度補間法又は１８０度補間法（対向データ補間法）等の公知の補間法により、目的のスライス位置におけるＸ線投影データを求める。
【００３９】
再構成された画像データは、画像データ記憶部２０に一旦記憶された後、画像処理部２１に送られる。画像処理部２１は、入力操作部１６からの入力に応じ、画像データを公知の方法により、任意断面の断層像、任意方向からの投影像、又はレンダリング処理による３次元画像等の画像データに変換して表示部２２に送信する。表示部２２では、画像データに基づく画像が表示される。
【００４０】
架台１の具体的な構成について、図２及び図３に基づいて説明する。
【００４１】
架台１は、スタンド２３と、一対のアーム２４と、メインフレーム２５と、回転体２６と、チルトシリンダ２７と、外装カバー２８とを備えている。
【００４２】
スタンド２３は、矩形の枠状に形成された基台部２３ａと、下端部が基台部２３ａの上面部の長手方向両端部に立設された一対の支柱部２３ｂとにより形成されている。基台部２３ａの下面部には振動減衰材である減衰ゴム２９が取付けられ、架台１はこの減衰ゴム２９を介して床面上に設置されている。
【００４３】
各支柱部２３ｂの上端部には、チルト軸受であるピローブロック３０が振動減衰材である減衰ゴム３１を介装して取付けられている。
【００４４】
ピローブロック３０には、水平方向向きに延出した支軸３２が軸支され、支軸３２の一端にはそれぞれアーム２４が固定されている。即ち、支柱部２３ｂの上端部には、アーム２４がピローブロック３０を介して支軸３２の中心線回りに上下方向回動可能に取付けられている。なお、一対の支軸３２は、その中心線が同一直線上に位置するように配置されている。
【００４５】
一対のアーム２４の間にはメインフレーム２５が配置され、このメインフレーム２５の一側が一方のアーム２４に固定され、メインフレーム２５の他側が他方のアーム２４に固定されている。これにより、メインフレーム２５は、アーム２４と共に支軸３２の中心線回りに上下方向回動可能に支持されている。なお、アーム２４とメインフレーム２５とは、振動減衰材である減衰ゴム３３を介装して固定されている。
【００４６】
メインフレーム２５には、円環状の回転体２６が軸受３４を介して中心線回りに回転可能に支持されている。回転体２６は、中央部に診断用開口部３５が形成され、この診断用開口部３５を挟んで対峙する位置にＸ線管８とＸ線検出器９とが保持されている。診断用開口部３５はＸ線ＣＴスキャンを受ける被検体Ｐが出し入れされる部分であり、寝台天板１１が水平方向にスライドされることにより寝台天板１１上に載せられた被検体Ｐが診断用開口部３５に出し入れされる。また、回転体２６とメインフレーム２５との間には振動減衰材である減衰ゴム３６が介装されている。なお、この減衰ゴム３６の介装位置は、軸受３４とメインフレーム２５との間でもよく、又は、軸受３４と回転体２６との間でもよい。
【００４７】
チルトシリンダ２７は、モータ又は油圧等により伸縮可能に設けられており、一端がアーム２４に回動可能に連結され、他端が基台部２３ａに回動可能に連結されている。チルトシリンダ２７が伸縮することにより、アーム２４とメインフレーム２５と回転体２６とが一体に支軸３２の中心線回りに回動する。チルトシリンダ２７とアーム２４とは、振動減衰材である減衰ゴム３７を介装して連結され、チルトシリンダ２７と基台部２３ａとは、振動減衰材である減衰ゴム３８を介装して連結されている。
【００４８】
外装カバー２８は、回転体２６やメインフレーム２５やアーム２４やチルトシリンダ２７等を覆い、診断用開口部３５を露出させる位置に開口が形成されており、メインフレーム２５に振動減衰材である減衰ゴム３９を介装して取付けられている。
【００４９】
このような構成において、このＸ線ＣＴ装置を用いて被検体ＰをＸ線ＣＴスキャンする場合には、寝台天板１１を移動させることにより寝台天板１１上に載置された被検体Ｐを診断用開口部３５内に位置させ、回転体２６を回転させながらＸ線管８からＸ線を照射する。また、必要に応じてチルトシリンダ２７を伸縮させ、回転体２６をメインフレーム２５やアーム２４と共に支軸３２の中心線回りに回動させる。チルトシリンダ２７を伸縮させて回転体２６を回動させることにより、回転体２６を回転させて被検体Ｐをスキャンする場合のスキャン角度を変更することができる。
【００５０】
Ｘ線ＣＴスキャンのために回転体２６を回転させた場合、回転体２６が振動し、その振動が架台１の各部や、架台１から床面を介して寝台２に伝達される。
【００５１】
しかし、回転体２６とメインフレーム２５との間に減衰ゴム３６が介装されているため、回転体２６の振動エネルギーが減衰ゴム３６により熱エネルギーに変換され、回転体２６からメインフレーム２５に伝わる振動が減衰される。
【００５２】
メインフレーム２５に伝わった振動は、メインフレーム２５からアーム２４や外装カバー２８に伝達される。
【００５３】
しかし、メインフレーム２５とアーム２４との間に減衰ゴム３３が介装されているため、メインフレーム２５の振動エネルギーが減衰ゴム３３により熱エネルギーに変換され、メインフレーム２５からアーム２４に伝わる振動が減衰される。
【００５４】
また、メインフレーム２５と外装カバー２８との間に減衰ゴム３９が介装されているため、メインフレーム２５の振動エネルギーが減衰ゴム３９により熱エネルギーに変換され、メインフレーム２５から外装カバー２８に伝わる振動が減衰される。
【００５５】
アーム２４に伝わった振動は、アーム２４から支柱部２３ｂやチルトシリンダ２７に伝達される。
【００５６】
しかし、アーム２４と支柱部２３ｂとはピローブロック３０を介して連結されており、ピローブロック３０と支柱部２３ｂとの間に減衰ゴム３１が介装されているため、アーム２４の振動エネルギーが減衰ゴム３１により熱エネルギーに変換され、アーム２４から支柱部２３ｂに伝わる振動が減衰される。
【００５７】
また、アーム２４とチルトシリンダ２７との間に減衰ゴム３７が介装されているため、アーム２４の振動エネルギーが減衰ゴム３７により熱エネルギーに変換され、アーム２４からチルトシリンダ２７に伝わる振動が減衰される。
【００５８】
チルトシリンダ２７に伝わった振動は、チルトシリンダ２７から基台部２３ａに伝達される。
【００５９】
しかし、チルトシリンダ２７と基台部２３ａとの間に減衰ゴム３８が介装されているため、チルトシリンダ２７の振動エネルギーが減衰ゴム３８により熱エネルギーに変換され、チルトシリンダ２７から基台部２３ａに伝わる振動が減衰される。
【００６０】
支柱部２３ｂや基台部２３ａからなるスタンド２３に伝わった振動（架台１の振動）は、架台１から床面に伝わる。
【００６１】
しかし、基台部２３ａの下面部には減衰ゴム２９が取付けられているため、架台１の振動エネルギーが減衰ゴム２９により熱エネルギーに変換され、架台１から床面に伝わる振動が減衰される。
【００６２】
架台１から床面に伝わった振動は、床面から寝台２に伝わる。
【００６３】
しかし、寝台基台１２の底面部には減衰ゴム１４が取付けられているため、床面の振動エネルギーが減衰ゴム１４により熱エネルギーに変換され、床面から寝台２に伝わる振動が減衰される。
【００６４】
このようにして、減衰ゴム３６，３３，３９，３１，３７，３８，２９，１４を設けることにより、回転体２６の回転に伴なう架台１や寝台２の振動を減衰させることができる。したがって、Ｘ線ＣＴ装置を用いて被検体ＰをＸ線ＣＴスキャンする場合に架台１や寝台２が振動し、回転体２６の１回転中におけるＸ線パスの位置がずれるということを抑えることができ、診断精度を向上させることができる。また、寝台２や外装カバー２８の振動を抑えることができるため、寝台２や外装カバー２８が振動して被検体Ｐに不快感を与えるということを抑えることができる。
【００６５】
なお、本実施の形態では、振動減衰材として減衰ゴム１４，２９，３１，３３，３６，３７，３８，３９を例に挙げて説明したが、振動減衰材としては減衰ゴムに限定されるものではなく、例えば、ばねやフェルト等も振動減衰材として用いることができる。
【符号の説明】
【００６６】
１      基台
２      寝台
８      Ｘ線管
９      Ｘ線検出器
１４      減衰ゴム（振動減衰材）
２３      スタンド
２５      メインフレーム
２６      回転体
２７      チルトシリンダ
２８      外装カバー
２９      減衰ゴム（振動減衰材）
３０      チルト軸受
３１      減衰ゴム（振動減衰材）
３３      減衰ゴム（振動減衰材）
３６      減衰ゴム（振動減衰材）
３７      減衰ゴム（振動減衰材）
３８      減衰ゴム（振動減衰材）
３９      減衰ゴム（振動減衰材）
【図１】
0005491791.tif 000002
【図２】
0005491791.tif 000003
【図３】
0005491791.tif 000004